(57)【要約】      （修正有）【課題】上面部に流体の出し入れを行う口部と取手部とが設けられた可撓性を有するプラスチック製の収容容器を箱状の外装体内に収容させた流体輸送用容器において、組み立てが簡単に行えると共に、強度も向上されて流体輸送用容器を多く段積みできるようにする。【解決手段】上面部11に流体の出し入れを行う口部１２と取手部１３とが設けられた可撓性のプラスチック製収容容器１０と、収容容器を収容させる上面が開口された箱状の外装体２０と、蓋板部の周囲に側壁部が設けられて外装体の上面に取り付けられるプラスチック製の蓋体３０とを備えた流体輸送用容器において、蓋体の蓋板部に、外装体内に収容された収容容器の口部と取手部とを露出させる開口部３３と、収容容器の上面部に向けて延出された押え部３４とを設けた。【選択図】図７
0003118762.tif 000002
【実用新案登録請求の範囲】
【請求項１】
上面部１１に流体の出し入れを行う口部１２と取手部１３とが設けられた可撓性を有するプラスチック製の収容容器１０と、この収容容器１０を収容させる上面が開口された箱状の外装体２０と、蓋板部３１の周囲に側壁部３２が設けられて上記の外装体２０の上面に取り付けられるプラスチック製の蓋体３０とを備え、上記の蓋体３０における蓋板部３１に、上記の外装体３０内に収容された収容容器１０における口部１２と取手部１３とを露出させる開口部３３と、収容容器１０の上面部１１に向けて延出された押え部３４とが形成されていることを特徴とする流体輸送用容器。
【請求項２】
請求項１に記載した流体輸送用容器において、上記の外装体２０が段ボールで構成されていることを特徴とする流体輸送用容器。
【請求項３】
請求項１又は請求項２に記載した流体輸送用容器において、上記の蓋体３０における蓋板部３１に交差状になった補強リブ３５が形成されていることを特徴とする流体輸送用容器。
【請求項４】
請求項１〜請求項３の何れか１項に記載した流体輸送用容器において、上記の蓋体３０における押え部３４が上記の開口部３３の口縁から延出されていることを特徴とする流体輸送用容器。
【請求項５】
請求項１〜請求項４の何れか１項に記載した流体輸送用容器において、上記の蓋体３０の側壁部３２に、外装体２０の側壁２１に係止させる係止部材３６が回動可能に設けられていることを特徴とする流体輸送用容器。
【考案の詳細な説明】
【技術分野】
【０００１】
この考案は、液体や粉体等の流体を輸送するのに使用する流体輸送用容器に係り、特に、上面部に流体の出し入れを行う口部と取手部とが設けられた可撓性を有するプラスチック製の収容容器を段ボール等で構成された箱状の外装体内に収容させるようにした流体輸送用容器に関するものである。
【背景技術】
【０００２】
従来、液体や粉体等の流体を輸送するのに、一斗缶と呼ばれるブリキ缶が広く利用されていた。
【０００３】
しかし、このようなブリキ缶の場合、重量が重く、また嵩張るため、その保管や輸送にスペースと手間とコストがかかるという問題があり、また耐食性も十分ではなく、収容させる液体や粉体の種類、例えば、次亜塩素酸ソーダ等の強酸化剤を含む液体洗剤等を収容させた場合、収容させた液体や粉体によってこのブリキ缶が腐食するという問題があった。
【０００４】
このため、近年においては、段ボール等で構成された箱状の外装体内に可撓性を有するプラスチック製の収容容器を収容させ、この収容容器に設けた口部を通して上記の流体を収容容器内に充填させ、この収容容器の口部にキャップを取り付けるようにした流体輸送用容器が用いられるようになった。
【０００５】
しかし、このように段ボール等で構成された外装体の上面は強度が低くて変形しやすく、このような流体輸送用容器を段積みすることが困難であった。
【０００６】
このため、最近においては、段ボール等で構成された箱状の外装体の側壁内面に支持段部を設け、収容容器の口部と係合する係合穴が設けられた支持板をこの支持段部に保持させるようにしたものが提案されている（例えば、特許文献１参照。）。
【０００７】
しかし、このように外装体の側壁内面に設けた支持段部によって支持板を保持させるだけでは、支持板を十分に支持することが困難であり、上記のように流体輸送用容器を段積みした場合に、この支持板が変形して上記の支持段部から外れたりするおそれがあり、依然として、流体輸送用容器を多く段積みすることができないという問題があった。
【０００８】
また、上記の流体輸送用容器においては、外装体の側壁に把手穴を設け、この把手穴により流体輸送用容器を持ち上げるようにしているため、収容容器内に流体を充填させた状態で流体輸送用容器を持ち上げるようにした場合、この外装体の底が抜けたりする等の問題もあった。
【０００９】
このため、本出願人は、上面部に流体の出し入れを行う口部と取手部とが設けられた可撓性を有するプラスチック製の収容容器を使用すると共に、この収容容器を収容させる段ボール等で構成された箱状の外装体において、その上面に切込みを設け、この切込みを折り曲げて、収容容器の口部と取手部とを露出させるように外装体の上面の一部を開口させ、この開口部分から取手部を持って流体輸送用容器を持ち上げるようにすると共に、この折り曲げ部分を収容容器の上面を押し付けて、外装体の上面の強度を高めると共に、収容容器が外装体内でがたつかないようにしたものを開発した。
【００１０】
しかし、上記のように外装体の上面に設けた切込みを折り曲げて、外装体の上面の一部を開口させると共にこの折り曲げ部分を収容容器の上面を押し付ける作業は非常に面倒で、作業効率が非常に悪くなるという問題があり、またこのような流体輸送用容器においても、外装体の上面の強度を十分に向上させることは困難であった。
【００１１】
さらに、この流体輸送用容器において、収容容器を外装体内に収容させた状態で、この収容容器の口部から液体を収容容器内に充填させる場合において、液体がこぼれて外装体の上面が汚れたり、外装体の強度が低下したりして、外装体を交換する必要が生じるという問題もあった。
【特許文献１】特開平８−８５５７１号公報
【考案の開示】
【考案が解決しようとする課題】
【００１２】
この考案は、液体や粉体等の流体を輸送するのに使用する流体輸送用容器における上記のような様々な問題を解決することを課題とするものであり、特に、上面部に流体の出し入れを行う口部と取手部とが設けられた可撓性を有するプラスチック製の収容容器を段ボール等で構成された箱状の外装体内に収容させるようにした流体輸送用容器において、この流体輸送用容器の組み立てが簡単に行えるようにすると共に、この流体輸送用容器の強度も向上されて、流体輸送用容器を多く段積みすることができ、さらに収容容器を外装体内に収容させた状態で、この収容容器の口部から液体を収容容器内に充填させる場合において、液体がこぼれても、その処理が簡単に行えるようにすることを課題とするものである。
【課題を解決するための手段】
【００１３】
この考案における流体輸送用容器においては、上記のような課題を解決するため、上面部に流体の出し入れを行う口部と取手部とが設けられた可撓性を有するプラスチック製の収容容器と、この収容容器を収容させる上面が開口された箱状の外装体と、蓋板部の周囲に側壁部が設けられて上記の外装体の上面に取り付けられるプラスチック製の蓋体とを備え、上記の蓋体における蓋板部に、上記の外装体内に収容された収容容器における口部と取手部とを露出させる開口部と、収容容器の上面部に向けて延出された押え部とを設けるようにした。
【００１４】
ここで、上記の外装体を構成する材料については特に限定されないが、簡単に折り畳むことができると共に、環境を害することなく簡単に処理できるものであることが好ましく、例えば、段ボールで構成されたものを用いることが好ましい。
【００１５】
また、この考案における流体輸送用容器においては、上記の蓋体における蓋板部に交差状になった補強リブを形成することが好ましい。
【００１６】
また、上記の蓋体における蓋板部に押え部を設けるにあたっては、この押え部を上記の開口部の口縁から延出させるようにすることができる。
【００１７】
また、この考案における流体輸送用容器においては、上記の蓋体を外装体の上面に取り付けるにあたり、この蓋体の側壁部に係止部材を回動可能に設け、この係止部材を外装体の側壁に係止させるようにすることができる。
【考案の効果】
【００１８】
この考案における流体輸送用容器においては、上面部に流体の出し入れを行う口部と取手部とが設けられた可撓性を有するプラスチック製の収容容器を、上面が開口された箱状の外装体内に収容させ、この状態で、上記の外装体の上面に被せるようにして、蓋板部の周囲に側壁部が設けられたプラスチック製の蓋体を取り付け、この蓋体に設けられた開口部を通して外装体内に収容された収容容器における口部と取手部とを露出させると共に、この蓋体において収容容器の上面部に向けて延出された押え部により収容容器の上面部を押えるようにする。
【００１９】
このようにすると、段ボール等で構成された外装体の上面に設けた切込みを折り曲げて、外装体の上面の一部を開口させると共にこの折り曲げ部分を収容容器の上面を押し付けるようにして流体輸送用容器を組み立てる従来の場合に比べて、流体輸送用容器の組み立てが簡単になり、作業効率が著しく向上する。
【００２０】
また、上記のように蓋体に設けられた開口部を通して外装体内に収容された収容容器における口部と取手部とを露出させると、開口部を通して露出された口部から収容容器内に液体等の流体を充填させることができ、充填時に液体が蓋体にこぼれたとしても、この蓋体がプラスチック製であるため簡単に拭き取ることができ、さらに開口部を通して露出された取手部を持って、この流体輸送用容器を持ち運びすることができ、外装体の底が抜けるということもない。
【００２１】
また、この蓋体がプラスチック製であると共に、この蓋体における押え部により収容容器の上面部を押えるようにするため、荷重によってこの蓋体の変形するのが抑制されるようになり、流体輸送用容器を多く積み重ねることができるようになる。特に、この蓋体における蓋板部に交差状になった補強リブを形成すると、この蓋体における強度がさらに向上し、より多くの流体輸送用容器を積み重ねることができるようになる。
【００２２】
また、この考案における流体輸送用容器において、上記の蓋材の側壁部に係止部材を回動可能に設け、この係止部材を外装体の側壁に係止させるようにすると、上記のように開口部を通して露出された取手部を持って流体輸送用容器を持ち運ぶ場合等に、蓋材が外装体から外れるのが防止されると共に、外装体への蓋材の取り付け及び取り外しが簡単に行えるようになる。
【考案を実施するための最良の形態】
【００２３】
以下、この考案の実施形態に係る流体輸送用容器を添付図面に基づいて具体的に説明する。なお、この考案に係る流体輸送用容器は下記の実施形態に示したものに限定されず、考案の要旨を変更しない範囲において、適宜変更して実施できるものである。
【００２４】
この実施形態における流体輸送用容器においては、収容容器１０として、図１及び図２に示すように、ブロー成形により中空の略直方体状に成形したプラスチック製の可撓性を有する収容容器１０を用いるようにしている。ここで、上記のプラスチックとしては一般にポリエチレンを使用し、この収容容器１０においては、十分な強度と可撓性が確保されるように、その厚みが約０．２〜０．５ｍｍ程度になるようにしている。
【００２５】
そして、この収容容器１０の上面部１１において、上方に隆起した1つの角部に流体の充填及び取り出しを行う口部１２を上方に突出するように設け、この口部１２の外周にねじ１２ａを形成し、キャップ４０をこのねじ１２ａによって口部１２に取り付けるようにしている。また、口部１２が設けられた上方に隆起した1つの角部から対角位置にある上方に隆起した他方の角部に向かうようにして取手部１３を設けている。
【００２６】
また、外装体２０としては、図３に示すように、段ボール等で上面が開口された箱状に形成されたものを用い、この外装体２０の側壁２１が交差する上面側の１の角部に注ぎ口用の切込み２２を形成すると共に、各側壁２１の上部側の中央部分に、それぞれ蓋体３０を係止されるための係止穴２３を設けている。
【００２７】
また、蓋材３０としては、プラスチック材料を射出成型により成形したものを用いるようにし、図４及び図５に示すように、略正方形状になった蓋板部３１の周囲から下方に向かう側壁部３２を設け、この蓋板部３１に上記の外装体２０内に収容された収容容器１０の口部１２と取手部１３とを露出させる開口部３３を設けると共に、この開口部３３の口縁から下方に向けて押え部３４を延出させている。また、上記の蓋板部３１の内面側に交差状になった補強リブ３５を形成すると共に、上記の開口部３３が近接する蓋板部３１の角部に、上記の外装体２０の角部に設けられた注ぎ口用の切込み２２に対応するようにして注ぎ口３７を凹設させている。
【００２８】
さらに、この蓋体３０の各側壁部３２の中央部にそれぞれ切り欠き３８を形成し、各切り欠き３８の上縁の側壁部３２に係止部材３６を回動可能に設け、各係止部材３６にそれぞれ先端が鉤型状になった係止片３６ａを形成している。
【００２９】
そして、この実施形態における流体輸送用容器においては、図６に示すように、上記の収容容器１０に設けられた口部１２が上記の外装体２０に形成された注ぎ口用の切込み２２側に位置するようにして、この収容容器１０を上面が開口された外装体２０内に収容させるようにする。
【００３０】
次いで、上記の蓋体３０を上記の外装体２０の上面に被せるようにし、図７及び図８に示すように、この蓋体３０に設けられた上記の注ぎ口３７を外装体２０に形成された注ぎ口用の切込み２２に嵌め合わせるようにして取り付け、この蓋体３０に設けられた開口部３３を通して外装体２０内に収容された収容容器１０における口部１２と取手部１３とを露出させるようにする。
【００３１】
また、この蓋体３０における蓋板部３１によって取手部１３が取り付けられた収容容器１０の他方の上方に隆起した角部の上面部１１を押さえ付けると共に、上記の開口部３３の口縁から下方に向けて延出された押え部３４によって取手部１３の両側における収容容器１０の上面部１１を押さえ付けるようにする。
【００３２】
次いで、上記のように蓋体３０を外装体２０の上面に被せるようにして取り付けた状態で、蓋材３０の各側壁部３２における切り欠き３８の部分に設けられた各係止部材３６を、図９（Ａ），（Ｂ）に示すように、それぞれ下方に回転させて、各係止部材３６に設けられた先端が鉤型状になった係止片３６ａを外装体２０の各側壁２１に設けられた係止穴２３に挿入させ、各係止片３６ａの先端における鉤型部分を各係止穴２３の穴縁における側壁２１の内面側に係止させるようにする。
【００３３】
そして、上記のように収容容器１０を外装体２０内に収容させると共に、この外装体２０の開口された上面に被せるようにして、蓋体３０を外装体２０に取り付けた後は、上記の収容容器１０の口部１２から収容容器１０内に液体や粉体等の流体を充填させ、その後、この収容容器１０の口部１２のねじ１２ａに合わせてキャップ４０を取り付け、口部１２を閉塞させるようにする。
【００３４】
なお、この実施形態における流体輸送用容器においては、上記のようにキャップ４０を口部１２のねじ１２ａに合わせて取り付けるようにしたが、キャップ４０を収容容器１０の口部１２に取り付ける方法は特に限定されない。
【００３５】
ここで、この実施形態の流体輸送用容器においては、前記のように蓋体３０の蓋板部３１に交差状になった補強リブ３５を形成し、この蓋板部３１によって取手部１３が取り付けられた収容容器１０の他方の上方に隆起した角部の上面部１１を押さえ付けると共に、上記の開口部３３の口縁から下方に向けて延出された押え部３４によって取手部１３の両側における収容容器１０の上面部１１を押さえ付けるようにしたため、大きな荷重が加わってもこの蓋体３０が変形するのが防止され、流体輸送用容器を多く段積みすることが可能になる。
【００３６】
また、この実施形態の流体輸送用容器においては、前記のように蓋体３０が各係止部材３６により外装体２０の側壁２１に係止されて、蓋体３０が外装体２０に強固に取り付けられるため、この蓋体３０の開口部３３を通して収容容器１０の取手部１３を持って、この流体輸送用容器を持ち上げる場合等に、蓋体３０が外装体２０から外れるのも防止されるようになる。
【図面の簡単な説明】
【００３７】
【図１】この考案の一実施形態に係る流体輸送用容器において使用する収容容器の概略斜視図である。
【図２】上記の収容容器の概略平面図である。
【図３】上記の実施形態に係る流体輸送用容器において使用する外装体の斜視図である。
【図４】上記の実施形態に係る流体輸送用容器において使用する蓋体の概略平面図である。
【図５】上記の蓋材の概略側面図である。
【図６】上記の実施形態に係る流体輸送用容器において、収容容器を外装体内に収容させた状態を示した概略平面図である。
【図７】上記の実施形態に係る流体輸送用容器の部分断面説明図である。
【図８】上記の実施形態に係る流体輸送用容器の概略平面図である。
【図９】上記の実施形態に係る流体輸送用容器において、蓋材に設けられた係止部材を外装体の側壁に係止させる状態を示した断面説明図である。
【符号の説明】
【００３８】
１０  収容容器
１１  上面部
１２  口部
１２ａ  ねじ
１３  取手部
２０  外装体
２１  側壁
２２  切込み
２３  係止穴
３０  蓋材
３１  蓋板部
３２  側壁部
３３  開口部
３４  押え部
３５  補強リブ
３６  係止部材
３６ａ  係止片
３７  注ぎ口
３８  切り欠き
４０  キャップ
【図１】
0003118762.tif 000003
【図２】
0003118762.tif 000004
【図３】
0003118762.tif 000005
【図４】
0003118762.tif 000006
【図５】
0003118762.tif 000007
【図６】
0003118762.tif 000008
【図７】
0003118762.tif 000009
【図８】
0003118762.tif 000010
【図９】
0003118762.tif 000011